(57)【特許請求の範囲】
【請求項１】
所定の試験信号を移動端末（１）に出力して前記移動端末を試験する移動端末試験装置（１０）であって、
前記移動端末を試験するために設定可能な全ての設定項目を階層化して記憶する全設定項目記憶手段（４１）と、
前記全ての設定項目から所定の設定項目を検索するための検索タームを入力する検索ターム入力画面（３３１）を表示する検索ターム入力画面表示手段（３３ａ）と、
入力された検索タームに設定項目名が部分一致する設定項目を前記全ての設定項目の中から検索する検索手段（１１）と、
前記検索手段の検索結果を含む検索結果画面（３３２）を表示する検索結果画面表示手段（３３ｂ）と、
前記検索結果画面に表示された設定項目のうち試験者が選択した設定項目を前記全設定項目記憶手段の記憶内容に基づいて階層化表示し且つ当該設定項目を識別表示して含む設定項目表示画面（３２０）を表示する設定項目表示手段（３２）と、
前記設定項目表示画面に含まれる設定項目に関する試験を実行する試験実行手段（５１）と、
を備えたことを特徴とする移動端末試験装置。
【請求項２】
前記検索結果画面表示手段は、前記検索結果画面に含まれる設定項目名の、前記検索タームに一致する部分を識別表示するものであることを特徴とする請求項１に記載の移動端末試験装置。
【請求項３】
前記移動端末の試験に関する情報を説明するためのヘルプ情報を記憶するヘルプ情報記憶手段（４３）をさらに備え、
前記検索手段は、入力された検索タームに部分一致する文言を含むヘルプ情報を検索するものであり、
前記検索結果画面表示手段は、前記検索手段が検索したヘルプ情報の、前記検索タームに一致する部分を識別表示するものであることを特徴とする請求項１又は請求項２に記載の移動端末試験装置。
【請求項４】
所定の試験信号を移動端末（１）に出力して前記移動端末を試験する移動端末試験装置（１０）によって前記移動端末を試験する移動端末試験方法であって、
前記移動端末を試験するために設定可能な全ての設定項目を階層化して記憶する全設定項目記憶手段（４１）より読み出した前記全ての設定項目から所定の設定項目を検索するための検索タームを入力する検索ターム入力画面（３３１）を表示する検索ターム入力画面表示ステップ（Ｓ１１）と、
入力された検索タームに設定項目名が部分一致する設定項目を前記全ての設定項目の中から検索する検索ステップ（Ｓ１３）と、
前記検索ステップの検索結果を含む検索結果画面（３３２）を表示する検索結果画面表示ステップ（Ｓ１４）と、
前記検索結果画面に表示された設定項目のうち試験者が選択した設定項目を前記全設定項目記憶手段の記憶内容に基づいて階層化表示し且つ当該設定項目を識別表示して含む設定項目表示画面（３２０）を表示する設定項目表示ステップ（Ｓ１６）と、
前記設定項目表示画面に含まれる設定項目に関する試験を実行する試験実行ステップ（Ｓ２１）と、
を含むことを特徴とする移動端末試験方法。
【発明の詳細な説明】
【技術分野】
【０００１】
本発明は、移動端末を試験する移動端末試験装置及び移動端末試験方法に関する。
【背景技術】
【０００２】
従来、この種の装置としては、特許文献１記載の移動端末機送信パワー測定装置が知られている。
【０００３】
特許文献１記載のものは、移動端末に対して送信要求する送信パワー変化数及び送信パワー変化量を設定する設定手段と、移動端末に対して送信パワー変化数及び送信パワー変化量を要求する要求手段と、移動端末から送信される送信パワーに基づいて移動端末のスロットを検出するスロット検出手段と、各スロットの電力やスロット間の電力変化量を検出するスロット電力検出手段と、を備えている。
【０００４】
この構成により、特許文献１記載のものは、スロット電力検出手段の検出結果と設定手段の設定情報とを比較して移動端末の動作チェックが行えるようになっている。
【先行技術文献】
【特許文献】
【０００５】
【特許文献１】特許第３７０８４５８号公報
【発明の概要】
【発明が解決しようとする課題】
【０００６】
ところで、この種の移動端末の製造ラインにおいて、移動端末の動作試験を行う際に、試験者は移動端末試験装置に対して様々な試験を行うために設定する項目（以下「設定項目」という。）を設定する必要がある。特に、近年では１台の移動端末で複数の通信規格を利用可能にしたものが開発されており、設定項目がより一層多岐にわたるとともに、類似の設定項目が一段と増加している。
【０００７】
しかしながら、従来の移動端末試験装置では、設定項目を単に画面表示するのみであったので、試験者が所定の設定項目を探すのに手間がかかるという課題や、試験者が所定の設定項目に類似する設定項目を選択して誤った試験を行うおそれがあるという課題があった。
【０００８】
本発明は、前述のような事情に鑑みてなされたものであり、従来よりも簡易かつ正確に設定項目を設定して移動端末を試験することができる移動端末試験装置及び移動端末試験方法を提供することを目的とする。
【課題を解決するための手段】
【０００９】
本発明の請求項１に係る移動端末試験装置は、所定の試験信号を移動端末（１）に出力して前記移動端末を試験する移動端末試験装置（１０）であって、前記移動端末を試験するために設定可能な全ての設定項目を階層化して記憶する全設定項目記憶手段（４１）と、前記全ての設定項目から所定の設定項目を検索するための検索タームを入力する検索ターム入力画面（３３１）を表示する検索ターム入力画面表示手段（３３ａ）と、入力された検索タームに設定項目名が部分一致する設定項目を前記全ての設定項目の中から検索する検索手段（１１）と、前記検索手段の検索結果を含む検索結果画面（３３２）を表示する検索結果画面表示手段（３３ｂ）と、前記検索結果画面に表示された設定項目のうち試験者が選択した設定項目を前記全設定項目記憶手段の記憶内容に基づいて階層化表示し且つ当該設定項目を識別表示して含む設定項目表示画面（３２０）を表示する設定項目表示手段（３２）と、前記設定項目表示画面に含まれる設定項目に関する試験を実行する試験実行手段（５１）と、を備えた構成を有している。
【００１０】
この構成により、本発明の請求項１に係る移動端末試験装置は、検索手段が、試験者が入力した検索タームに設定項目名が部分一致する設定項目を全ての設定項目の中から検索し、設定項目表示手段が、検索結果画面に表示された設定項目のうち試験者が選択した設定項目を階層化し識別表示して含む設定項目表示画面を表示するので、従来よりも簡易かつ正確に設定項目を設定して移動端末を試験することができる。
【００１１】
本発明の請求項２に係る移動端末試験装置は、前記検索結果画面表示手段は、前記検索結果画面に含まれる設定項目名の、前記検索タームに一致する部分を識別表示するものである構成を有している。
【００１２】
この構成により、本発明の請求項２に係る移動端末試験装置は、試験者が入力した検索タームに一致する部分を識別表示するので、従来よりも簡易かつ正確に設定項目を設定して移動端末を試験することができる。
【００１３】
本発明の請求項３に係る移動端末試験装置は、前記移動端末の試験に関する情報を説明するためのヘルプ情報を記憶するヘルプ情報記憶手段（４３）をさらに備え、前記検索手段は、入力された検索タームに部分一致する文言を含むヘルプ情報を検索するものであり、前記検索結果画面表示手段は、前記検索手段が検索したヘルプ情報の、前記検索タームに一致する部分を識別表示するものである構成を有している。
【００１４】
この構成により、本発明の請求項３に係る移動端末試験装置は、試験者が入力した検索タームに一致する文言を含むヘルプ情報の、検索タームに一致する部分を識別表示するので、ヘルプ情報を試験者にわかりやすく提示することができる。
【００１５】
本発明の請求項４に係る移動端末試験方法は、所定の試験信号を移動端末（１）に出力して前記移動端末を試験する移動端末試験装置（１０）によって前記移動端末を試験する移動端末試験方法であって、前記移動端末を試験するために設定可能な全ての設定項目を階層化して記憶する全設定項目記憶手段（４１）より読み出した前記全ての設定項目から所定の設定項目を検索するための検索タームを入力する検索ターム入力画面（３３１）を表示する検索ターム入力画面表示ステップ（Ｓ１１）と、入力された検索タームに設定項目名が部分一致する設定項目を前記全ての設定項目の中から検索する検索ステップ（Ｓ１３）と、前記検索ステップの検索結果を含む検索結果画面（３３２）を表示する検索結果画面表示ステップ（Ｓ１４）と、前記検索結果画面に表示された設定項目のうち試験者が選択した設定項目を前記全設定項目記憶手段の記憶内容に基づいて階層化表示し且つ当該設定項目を識別表示して含む設定項目表示画面（３２０）を表示する設定項目表示ステップ（Ｓ１６）と、前記設定項目表示画面に含まれる設定項目に関する試験を実行する試験実行ステップ（Ｓ２１）と、を含む構成を有している。
【００１６】
この構成により、本発明の請求項４に係る移動端末試験方法は、試験者が入力した検索タームに設定項目名が部分一致する設定項目を全ての設定項目の中から検索する検索ステップと、検索結果画面に表示された設定項目のうち試験者が選択した設定項目を階層化し識別表示して含む設定項目表示画面を表示する設定項目表示ステップと、を含むので、従来よりも簡易かつ正確に設定項目を設定して移動端末を試験することができる。
【発明の効果】
【００１７】
本発明は、従来よりも簡易かつ正確に設定項目を設定して移動端末を試験することができるという効果を有する移動端末試験装置及び移動端末試験方法を提供することができるものである。
【図面の簡単な説明】
【００１８】
【図１】本発明に係る移動端末試験装置の一実施形態におけるブロック構成図である。
【図２】本発明に係る移動端末試験装置の一実施形態におけるタッチパネルの外観図である。
【図３】本発明に係る移動端末試験装置の一実施形態における全設定項目記憶部が記憶する設定項目の一例を示す図である。
【図４】本発明に係る移動端末試験装置の一実施形態における全設定項目表示画面制御部、設定項目表示画面制御部及び検索画面制御部が表示する画面例である。
【図５】本発明に係る移動端末試験装置の一実施形態において、検索画面により設定項目を設定する際の説明図である。
【図６】本発明に係る移動端末試験装置の一実施形態において、検索画面によりヘルプ情報を表示する際の説明図である。
【図７】本発明に係る移動端末試験装置の一実施形態におけるフローチャートである。
【発明を実施するための形態】
【００１９】
以下、本発明の実施形態について図面を用いて説明する。
【００２０】
まず、本発明に係る移動端末試験装置の一実施形態における構成について図１〜図３に基づき説明する。
【００２１】
図１に示すように、本実施形態における移動端末試験装置１０は、ＵＥ（User Equipment：例えば移動端末）１を試験するものであって、タッチパネル２０、表示操作制御装置３０、設定管理装置４０、検索処理部１１、試験実行装置５０を備えている。
【００２２】
移動端末試験装置１０は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。移動端末試験装置１０は、ＲＯＭに予め格納された制御プログラムを実行させることにより、マイクロコンピュータを、タッチパネル２０、表示操作制御装置３０、設定管理装置４０、検索処理部１１、試験実行装置５０等の機能部として機能させるようになっている。
【００２３】
タッチパネル２０は、試験者のタッチ操作に応じて操作信号を出力する操作部２１と、この操作部２１に重ねて配置され、液晶ディスプレイからなる表示部２２と、を備えている。操作部２１は、タッチ操作を検出すると操作位置を示す操作信号を表示操作制御装置３０に出力するようになっている。表示部２２は、表示操作制御装置３０からの表示制御信号に基づいて所定の画面を表示するようになっている。
【００２４】
なお、タッチパネル２０に対するタッチ操作は、画面を試験者が指で所定回数叩く（以下「タップする」という。）操作や、画面上に指を接触させた状態で指をスライドさせる操作等を含む。
【００２５】
タッチパネル２０は、例えば図２に示すような外観を有している。図２において、タッチパネル２０は、設定項目を設定するための１つ以上のウィンドウが表示される設定項目設定エリア２０１と、試験結果を表示する試験結果表示エリア２０２と、ヘルプ情報を表示するヘルプ情報表示エリア２０３と、で構成されている。設定項目設定エリア２０１には、設定項目や設定項目ごとに定める試験の値（以下「試験パラメータ値」という。）の設定内容を決定するための決定ボタン２０１ａと、設定内容をキャンセルするためのキャンセルボタン２０１ｂと、設定した設定項目及び試験パラメータ値で試験を実行するための試験実行ボタン２０１ｃと、が表示されている。
【００２６】
表示操作制御装置３０は、タッチパネル２０に対して所定の表示画面を表示する制御やタッチ操作に関する制御を実行するものであって、全設定項目表示画面制御部３１、設定項目表示画面制御部３２、検索画面制御部３３、設定入力画面制御部３４、試験結果画面制御部３５を備えている。
【００２７】
全設定項目表示画面制御部３１は、移動端末試験装置１０が試験可能な全ての試験についての設定項目のデータを設定管理装置４０から取得し、全設定項目を含む全設定項目表示画面を設定項目設定エリア２０１に表示する表示制御を実行するようになっている。なお、後述するように、設定管理装置４０の全設定項目記憶部４１は、全設定項目を階層化して記憶している。
【００２８】
設定項目表示画面制御部３２は、試験者が設定した設定項目を含む設定項目表示画面を設定項目設定エリア２０１に表示する表示制御を実行するようになっている。この設定項目表示画面制御部３２は、本発明に係る設定項目表示手段を構成する。
【００２９】
検索画面制御部３３は、試験者が検索ターム（キーワード）を用いて設定項目やヘルプ情報を検索するための検索画面を設定項目設定エリア２０１に表示する表示制御を実行するようになっている。この検索画面制御部３３は、検索タームを入力する検索ターム入力画面を表示する検索ターム入力画面表示部３３ａと、検索結果を含む検索結果画面を表示する検索結果画面表示部３３ｂと、を含む。なお、検索ターム入力画面表示部３３ａ及び検索結果画面表示部３３ｂは、それぞれ、本発明に係る検索ターム入力画面表示手段及び検索結果画面表示手段を構成する。
【００３０】
設定入力画面制御部３４は、設定項目や試験パラメータ値（以下、両者を総称して「設定情報」という。）の入力に関する各画面の表示制御を実行するようになっている。例えば、設定入力画面制御部３４は、数値、文字列又は記号を試験者に入力させる必要がある場面では、キーボードやテンキー（以下「入力キー」という。）を設定項目設定エリア２０１に表示するようになっている。
【００３１】
試験結果画面制御部３５は、試験実行装置５０から試験結果のデータを受け取り、そのデータを試験結果表示エリア２０２に表示する表示制御を実行するようになっている。
【００３２】
設定管理装置４０は、移動端末試験装置１０が試験可能な全ての試験についての設定項目のデータを記憶する全設定項目記憶部４１と、試験者が試験前に設定した設定情報のデータを記憶する設定情報記憶部４２と、ヘルプ情報を記憶するヘルプ情報記憶部４３と、を備えている。
【００３３】
ここで、全設定項目記憶部４１が記憶する設定項目の一例を図３に示す。図３に示すように、全設定項目記憶部４１は、通信規格別に、大分類及び小分類ごとに予め設定された設定項目のデータを階層化して記憶するようになっている。例えば、全設定項目記憶部４１は、通信規格ＬＴＥ（Long Term Evolution）の上位階層である大分類「Ｃｏｍｍｏｎ：共通」の下層の小分類「Ｆｒｅｑｕｅｎｃｙ：周波数」においては、最下層の設定項目として「Ｆｒａｍｅ  Ｓｔｒｕｃｔｕｒｅ：フレーム構造」、「Ｃｈａｎｎｅｌ  Ｂａｎｄｗｉｄｔｈ：チャネル帯域幅」、「ＵＬ  Ｃｈａｎｎｅｌ：アップリンクチャネル」、「ＤＬ  Ｃｈａｎｎｅｌ：ダウンリンクチャネル」、「Ｏｐｅｒａｔｉｏｎ  Ｂａｎｄ：動作周波数帯域」を記憶するものである。この全設定項目記憶部４１は、例えば工場出荷時に定められた試験パラメータ値を設定項目ごとに記憶する構成でもよい。この全設定項目記憶部４１は、本発明に係る全設定項目記憶手段を構成する。
【００３４】
設定情報記憶部４２は、表示操作制御装置３０の設定入力画面制御部３４から、試験者が試験前に設定した設定情報を取得して記憶するようになっている。
【００３５】
ヘルプ情報記憶部４３は、図３に示した最下層の設定項目のうち丸印を付した設定項目にヘルプ情報を関連付けて記憶している。この他、ヘルプ情報記憶部４３は、移動端末試験装置１０の使用方法、試験関係の用語等を説明する情報をヘルプ情報として記憶している。このヘルプ情報記憶部４３は、本発明に係るヘルプ情報記憶手段を構成する。
【００３６】
検索処理部１１は、全設定項目記憶部４１から全ての設定項目名、ヘルプ情報記憶部４３から全てのヘルプ情報を入力するようになっている。また、検索処理部１１は、検索画面制御部３３が表示した検索画面に試験者が入力した検索タームのデータを取得し、検索タームに部分一致する設定項目名の設定項目や、検索タームに部分一致する文言を含むヘルプ情報を検索結果として表示操作制御装置３０に出力するようになっている。この検索処理部１１は、本発明に係る検索手段を構成する。
【００３７】
試験実行装置５０は、設定項目に関する試験実行を制御する試験制御部５１と、ＵＥ１に送信する無線周波数（ＲＦ）の試験信号を発生する信号発生部５２と、ＵＥ１からの応答信号を解析する信号解析部５３と、例えば同軸ケーブルを介してＵＥ１に結合される結合器５４と、を備えている。なお、試験制御部５１は、本発明に係る試験実行手段を構成する。
【００３８】
次に、表示操作制御装置３０において、全設定項目表示画面制御部３１、設定項目表示画面制御部３２及び検索画面制御部３３が設定項目設定エリア２０１（図２参照）に表示する各画面例について図４に基づき説明する。
【００３９】
図４（ａ）は、全設定項目表示画面制御部３１が表示する全設定項目表示画面３１０の表示例である。図４（ａ）に示すように、全設定項目表示画面３１０は、例えばウィンドウの全項目タブを試験者がタップすることによって表示される画面であって、全設定項目を階層ごとにツリー表示する全項目表示エリア３１１と、設定項目を縦方向にスクロールするスクロールバー３１２と、を含む。全項目表示エリア３１１は、設定項目を表示する設定項目表示欄３１１ａと、既定値又は前回設定値等の試験パラメータ値を表示する試験パラメータ値表示欄３１１ｂと、を含む。なお、図４（ａ）には、通信方式としてＬＴＥ及びＷ−ＣＤＭＡの２つを挙げているが、これは一例であって、通信方式が１つの場合や３つ以上の場合でもよい。
【００４０】
図４（ｂ）は、設定項目表示画面制御部３２が表示する設定項目表示画面３２０の表示例である。図４（ｂ）に示すように、設定項目表示画面３２０は、例えばウィンドウの登録項目タブを試験者がタップすることによって表示される画面であって、試験者が仮設定した設定項目及び試験パラメータ値を表示する設定項目表示エリア３２１と、設定項目を縦方向にスクロールするスクロールバー３２２と、を含む。
【００４１】
設定項目表示エリア３２１は、設定項目を表示する設定項目表示欄３２１ａと、試験パラメータ値を表示する試験パラメータ値表示欄３２１ｂと、を含む。図示の例は、設定項目表示エリア３２１にＬＴＥに関する試験の設定情報を表示したものである。なお、全設定項目表示画面３１０と同様な構成要素の符号の図示を省略している。
【００４２】
図４（ｂ）に示した設定項目表示画面３２０において、試験者が、試験パラメータ値の表示領域をタップすると、設定入力画面制御部３４は、設定項目表示画面３２０の近傍に入力キーを表示し、試験パラメータ値を任意の値に変更することができるようプログラミングされている。具体的には、試験者が、「Ｆｒａｍｅ  Ｓｔｒｕｃｔｕｒｅ」の試験パラメータ値として設定されている「ＦＤＤ（Frequency Division Duplex:周波数分割二重）」の表示領域をタップすると、設定入力画面制御部３４は、例えば「ＦＤＤ」及び「ＴＤＤ（Time Division Duplex：時分割二重）」のいずれか一方を選択させるための入力キーを設定項目表示画面３２０の近傍に表示するようになっている。
【００４３】
図４（ｃ）は、検索画面制御部３３が表示する検索画面３３０の表示例である。図４（ｃ）に示すように、検索画面３３０は、例えばウィンドウの検索タブを試験者がタップすることによって表示される画面であって、試験者が検索タームを入力する検索ターム入力エリア３３１と、検索結果が表示される検索結果表示エリア３３２と、を含む。ここで、検索ターム入力エリア３３１は検索ターム入力画面表示部３３ａによって表示され、検索結果表示エリア３３２は検索結果画面表示部３３ｂによって表示される。なお、検索ターム入力エリア３３１及び検索結果表示エリア３３２は、それぞれ、本発明に係る検索ターム入力画面及び検索結果画面を構成する。
【００４４】
図４（ｃ）の表示状態において、検索ターム入力エリア３３１を試験者がタップすると、図示を省略したが、設定入力画面制御部３４によって検索画面３３０の近傍に入力キーが表示され、この入力キーを試験者がタップすることにより検索ターム入力エリア３３１に文字、数値又は記号が入力されるようになっている。なお、全設定項目表示画面３１０と同様な構成要素の符号の図示を省略している。
【００４５】
次に、検索画面制御部３３が実行する検索画面３３０の表示制御の一例について説明する。
【００４６】
図５（ａ）は、試験者が検索タームとして「ＵＬ」の２文字を検索ターム入力エリア３３１に入力した時点での検索画面３３０を示している。この場合、検索結果表示エリア３３２には、検索タームである「ＵＬ」に部分一致する設定項目名の設定項目や、検索タームに部分一致する文言を含むヘルプ情報が表示される。ここで、図中のかっこ書きのＬＴＥ及びＷ−ＣＤＭＡは、それぞれ、通信規格がＬＴＥ及びＷ−ＣＤＭＡであることを示している。図示の例では、設定項目「ＵＬ  Ｃｈａｎｎｅｌ」、「ＵＬ  Ｆｒｅｑｕｅｎｃｙ」、「Ｎｕｍｂｅｒ  ｏｆ  ＵＬ  ＲＢ」が表示されている。
【００４７】
また、図中のかっこ書きのＨＬＰはヘルプ情報であることを示している。図示の例では、基地局ＩＤ（Identification）のヘルプ情報に「ＵＬ」が含まれていることが示されており、かつ、その「ＵＬ」の前後の文字列が表示されている。
【００４８】
また、検索結果表示エリア３３２において、検索タームに部分一致する範囲は識別表示されている。図５（ａ）に示した例では、検索ターム「ＵＬ」の文字は、例えば、他の文字の色とは異なる色や、強調表示、点滅表示等で表示される。その結果、試験者は、検索結果表示エリア３３２に表示された文字、数字又は記号に部分一致する設定項目名やヘルプ情報等を容易に認識することができ、誤った設定項目を選択するおそれが減少する。
【００４９】
なお、図５（ａ）では、検索ターム入力エリア３３１に「ＵＬ」の２文字が入力された時点での検索画面３３０を示したが、試験者が検索ターム入力エリア３３１に文字、数字又は記号を１つずつ入力するごとに、その検索結果が検索結果表示エリア３３２に表示される。具体的には、例えば、検索ターム入力エリア３３１に「Ｕ」が入力されると「Ｕ」に部分一致するものが検索結果表示エリア３３２に表示され、「Ｕ」に続いて「Ｌ」が入力されると「ＵＬ」に部分一致するものが検索結果表示エリア３３２に表示され、さらに「ＵＬ」続いて「＿」（スペース文字）が入力されると「ＵＬ＿」に部分一致するものが検索結果表示エリア３３２に表示される。
【００５０】
次に、図５（ａ）に示した状態において、検索結果の１つである「ＵＬ  Ｃｈａｎｎｅｌ（ＬＴＥ）」の表示領域３３３を試験者がタップすると、図５（ｂ）に示すように、設定入力画面制御部３４は、検索画面３３０を設定項目表示画面３２０に切り替える。設定項目表示画面３２０には、試験者がタップした「ＵＬ  Ｃｈａｎｎｅｌ（ＬＴＥ）」が設定項目としてツリー表示されるとともに、その試験パラメータ値「１８３００」が表示されている。これらの表示領域にカーソル３２３が表示されることにより、設定項目及び試験パラメータ値が識別表示される。このカーソル３２３を例えば点滅動作や色付け表示させてもよいし、カーソル３２３を表示せずにその表示領域に設定項目及び試験パラメータ値を他の文字の色とは異なる色や、強調表示、点滅表示等で表示してもよい。その結果、試験者は、設定項目表示エリア３２１に表示された設定項目名及び試験パラメータ値を容易に認識することができ、誤った設定項目を選択するおそれが減少する。
【００５１】
なお、前述の表示例において、試験パラメータ値「１８３００」の表示領域を試験者がタップすると、設定入力画面制御部３４は設定項目表示画面３２０の近傍に入力キーを表示し、試験者は試験パラメータ値を任意の値に変更することができる。
【００５２】
さらに、図５（ｂ）が表示された状態において、試験者が検索タブをタップすれば、設定入力画面制御部３４は、図５（ｂ）に代えて図５（ａ）を再度表示する。すなわち、試験者が設定項目表示画面３２０を見て設定項目を誤ったと判断した場合でも、再度、検索画面３３０に戻って設定項目を設定し直すことができる。
【００５３】
なお、設定入力画面制御部３４が、前述のように検索画面３３０と設定項目表示画面３２０とを切り替えないで、検索画面３３０及び設定項目表示画面３２０を同時に設定項目設定エリア２０１に表示する構成としてもよい。
【００５４】
次に、図６（ａ）に示すように、検索結果の１つである「基地局ＩＤ（ＨＬＰ）・・・」の表示領域３３４を試験者がタップした場合、図６（ｂ）に示すように、設定入力画面制御部３４は、基地局ＩＤに関するヘルプ情報をヘルプ情報表示エリア２０３に表示する。ヘルプ情報表示エリア２０３には、基地局ＩＤに関するヘルプ情報に含まれる検索ターム「ＵＬ」の文字が、例えば、他の文字の色とは異なる色や、強調表示、点滅表示等で表示される。この結果、ヘルプ情報を試験者にわかりやすく提示することができる。
【００５５】
次に、本実施形態における移動端末試験装置１０の動作について、試験者が検索画面３３０（図４（ｃ）参照）を使用して設定項目の設定処理を行う例を挙げ、図７に示すフローチャートを中心に説明する。
【００５６】
検索画面制御部３３は、検索画面３３０を設定項目設定エリア２０１に表示する（ステップＳ１１）。すなわち、検索ターム入力エリア３３１が検索ターム入力画面表示部３３ａによって表示され、検索結果表示エリア３３２が検索結果画面表示部３３ｂによって表示される。
【００５７】
設定入力画面制御部３４は、検索画面３３０の検索ターム入力エリア３３１に検索タームが入力されたか否かを判断する（ステップＳ１２）。
【００５８】
ステップＳ１２において、設定入力画面制御部３４が検索ターム入力エリア３３１に検索タームが入力されたと判断しなかった場合はステップＳ１２を繰り返す。
【００５９】
一方、ステップＳ１２において、設定入力画面制御部３４が検索ターム入力エリア３３１に検索タームが入力されたと判断した場合は、検索処理部１１は、検索タームに部分一致する設定項目名及びヘルプ情報を検索する（ステップＳ１３）。
【００６０】
検索画面制御部３３は、検索処理部１１から検索結果の情報を受け取り、検索結果表示エリア３３２に検索結果を列挙表示する（ステップＳ１４）。
【００６１】
設定入力画面制御部３４は、検索画面制御部３３が表示した検索結果のいずれか１つを試験者がタップにより選択したか否かを判断する（ステップＳ１５）。
【００６２】
ステップＳ１５において、検索結果のいずれも選択されなかったと設定入力画面制御部３４が判断した場合はステップＳ１５を繰り返す。
【００６３】
ステップＳ１５において、検索結果のうち選択項目が選択されたと設定入力画面制御部３４が判断した場合は、設定項目表示画面制御部３２は、設定項目表示画面３２０に設定項目をツリー表示するとともに、試験者が選択した設定項目を識別表示する（ステップＳ１６）。
【００６４】
設定入力画面制御部３４は、選択された設定項目が試験者の所望する設定項目であるか否かを判断する（ステップＳ１７）。例えば、設定入力画面制御部３４は、図２に示した決定ボタン２０１ａを試験者がタップした場合は、試験者の所望する設定項目であると判断し、ステップＳ１８に進む。一方、設定入力画面制御部３４は、例えば、図２に示したキャンセルボタン２０１ｂを試験者がタップした場合は、試験者の所望する設定項目ではないと判断し、ステップＳ１５に戻る。
【００６５】
表示操作制御装置３０の設定入力画面制御部３４は、入力キーのタッチ操作に応じて試験パラメータ値を設定し（ステップＳ１８）、ステップＳ２０に進む。
【００６６】
前述のステップＳ１５において、検索結果のうちヘルプ情報が選択されたと設定入力画面制御部３４が判断した場合は、検索画面制御部３３は、該当するヘルプ情報を検索処理部１１から受け取り、２０３にヘルプ情報を表示し（ステップＳ１９）、ステップＳ２０に進む。
【００６７】
設定入力画面制御部３４は、新たな設定項目の設定があるか否かを判断する（ステップＳ２０）。例えば、試験者が検索タブをタップすることにより検索画面３３０が表示された場合は、設定入力画面制御部３４は、新たな設定項目があると判断し、ステップＳ１２に戻る。一方、例えば、図２に示した試験実行ボタン２０１ｃを試験者がタップした場合は、設定入力画面制御部３４は、新たな設定項目はないと判断し、設定項目表示画面３２０において仮設定された設定情報を本設定の設定情報として設定情報記憶部４２に記憶し、この本設定の設定情報により試験実行装置５０にＵＥ１の試験を実行させる（ステップＳ２１）。
【００６８】
具体的には、設定入力画面制御部３４は、試験実行ボタン２０１ｃがタップされた場合は、設定情報の入力終了を示す設定終了信号を試験制御部５１に送り、試験制御部５１は、設定管理装置４０の設定情報記憶部４２から設定情報を入手して、設定情報に基づいた試験信号を信号発生部５２に発生させてＵＥ１に対する試験を実行する。
【００６９】
試験実行装置５０は、試験が終了すると、信号解析部５３が解析した試験結果のデータを表示操作制御装置３０に出力し、試験結果画面制御部３５は、タッチパネル２０の表示部２２の試験結果表示エリア２０２に試験結果を表示する（ステップＳ２２）。
【００７０】
以上のように、本実施形態における移動端末試験装置１０は、検索処理部１１が、試験者が入力した検索タームに設定項目名が部分一致する設定項目を全ての設定項目の中から検索し、設定項目表示画面制御部３２が、検索結果表示エリア３３２に表示された設定項目のうち試験者が選択した設定項目を階層化し識別表示して含む設定項目表示画面３２０を表示する構成としたので、従来よりも簡易かつ正確に設定項目を設定してＵＥ１を試験することができる。
【産業上の利用可能性】
【００７１】
以上のように、本発明に係る移動端末試験装置は、従来よりも簡易かつ正確に設定項目を設定して移動端末を試験することができるという効果を有し、移動端末を試験する移動端末試験装置及び移動端末試験方法として有用である。
【符号の説明】
【００７２】
１  ＵＥ（移動端末）
１０  移動端末試験装置
１１  検索処理部（検索手段）
２０  タッチパネル
２１  操作部
２２  表示部
３０  表示操作制御装置
３１  全設定項目表示画面制御部
３２  設定項目表示画面制御部（設定項目表示手段）
３３  検索画面制御部
３３ａ  検索ターム入力画面表示部（検索ターム入力画面表示手段）
３３ｂ  検索結果画面表示部（検索結果画面表示手段）
３４  設定入力画面制御部
３５  試験結果画面制御部
４０  設定管理装置
４１  全設定項目記憶部（全設定項目記憶手段）
４２  設定情報記憶部
４３  ヘルプ情報記憶部（ヘルプ情報記憶手段）
５０  試験実行装置
５１  試験制御部（試験実行手段）
５２  信号発生部
５３  信号解析部
５４  結合器
３３０  検索画面
３３１  検索ターム入力エリア（検索ターム入力画面）
３３２  検索結果表示エリア（検索結果画面）
【要約】
【課題】従来よりも簡易かつ正確に設定項目を設定して移動端末を試験することができる移動端末試験装置及び移動端末試験方法を提供する。
【解決手段】移動端末試験装置１０は、設定可能な全ての設定項目から所定の設定項目を検索するための検索タームを入力する検索ターム入力画面を表示する検索ターム入力画面表示部３３ａと、入力された検索タームに設定項目名が部分一致する設定項目を全ての設定項目の中から検索する検索処理部１１と、検索結果を含む検索結果画面を表示する検索結果画面表示部３３ｂと、検索結果画面に表示された設定項目のうち試験者が選択した設定項目を階層化し識別表示して含む設定項目表示画面を表示する設定項目表示画面制御部３２と、設定項目表示画面に含まれる設定項目に関する試験を実行する試験制御部５１と、を備える。
【選択図】図１【図１】
0005410588.tif 000002
【図２】
0005410588.tif 000003
【図３】
0005410588.tif 000004
【図４】
0005410588.tif 000005
【図５】
0005410588.tif 000006
【図６】
0005410588.tif 000007
【図７】
0005410588.tif 000008